(57)【特許請求の範囲】
【請求項１】
印刷物としての書籍を電子化する書籍電子化手段と、
この書籍電子化手段において電子化された電子書籍を、前記書籍の著作者若しくは所有者毎に記録し、ユーザーからの購読要求に基づき、要求された電子書籍を前記ユーザーに提供する電子書籍管理手段とからなり、
前記電子書籍管理手段には、前記電子書籍を著作者毎に記録する電子書籍格納部と、前記電子書籍の提供状況を管理する電子書籍貸し出し管理部と、ユーザーからの購読要求時に、このユーザーのＩＤおよびパスワードに基づきユーザーの特定を行うユーザー確認処理機能と、前記電子書籍の提供時における貸出料を算出する貸出料金設定部と、前記電子書籍の提供に伴う著作権料を算出する著作権料算出部とを備え、
前記電子書籍の情報を参照して、印刷物としての書籍の破棄状況と、著作者からの貸し出し許可が設定されているか否かにより貸し出し判定処理を行ない、前記電子書籍の提供後に、前記電子書籍格納部の前記提供された電子書籍に対して貸出不可処理を行ない、かつ、返却時において貸出可能処理を行ない、前記貸出料や著作権料の算出後に、当該料金の支払い処理を行なうことを特徴とする書籍の貸出システム。
【請求項２】
前記電子書籍管理手段は、ユーザーからの購読要求時に、この購読要求された電子書籍の貸出期間を設定し、かつ、この貸出期間を経過した後に貸し出し延長要求がなされた際に、その延長期間を設定する貸し出し条件処理機能を備えていることを特徴とする請求項１に記載の書籍貸出システム。
【請求項３】
前記電子書籍の情報を、前記書籍に付与されているＩＳＢＮコードを用いて管理することを特徴とする請求項１又は請求項２に記載の書籍貸し出しシステム。
【発明の詳細な説明】
【技術分野】
【０００１】
本発明は書籍の貸出システムに係わり、特に、印刷物である書籍を電子化し、たとえば、インターネット等の通信手段を用いて貸し出すようにした書籍の貸出システムに関するものである。
【背景技術】
【０００２】
一般に、書籍の貸出は、図書館に代表されるように、前記書籍を本棚に収納しておき、この書籍をユーザーが直接取り出し、貸出窓口において当該書籍の借り出し手続きを行なうことによって処理されている。
【０００３】
このような貸出方法であると、ユーザーは、書籍の購読に際してその都度図書館へ足を運ばなければならず、図書館等の施設から離れた地域の住民や年配の方が利用するには不便である。
【０００４】
このような不具合を解消するために、前記書籍を電子化し、電子化された書籍を電子情報として記録しておき、この電子化された書籍を、インターネット等の通信手段を用いて貸し出すようにした技術が提案されている（特許文献１参照）。
【先行技術文献】
【特許文献】
【０００５】
【特許文献１】特開２００８−２６２５１８号公報
【発明の概要】
【発明が解決しようとする課題】
【０００６】
とろこで、前述した従来の技術にあっては、著作者若しくは著作物の所有者は、その著作物がどの施設に保管され、どのように購読されているか把握することができず、したがって、この購読に伴う著作権料若しくは貸出料の発生状況も把握できないといった問題点がある。
【０００７】
本発明は、このような従来の問題点に鑑みてなされたもので、インターネット等の通信手段を用いた購読を可能にしつつ、著作者若しくは著作物の所有者が、その著作物が利用されている状況やそれに伴う著作権料若しくは貸出料の発生状況をリアルタイムに把握することのできる書籍の貸出システムを提供することを解決課題とする。
【課題を解決するための手段】
【０００８】
本発明によれば、書籍の貸出システムは、前述した課題を解決するために、印刷物としての書籍を電子化する書籍電子化手段と、この書籍電子化手段において電子化された電子書籍を、前記書籍の著作者若しくは所有者毎に記録し、ユーザーからの購読要求に基づき、要求された電子書籍を前記ユーザーに提供する電子書籍管理手段とからなり、前記電子書籍管理手段には、前記電子書籍を著作者毎に記録する電子書籍格納部と、前記電子書籍の提供状況を管理する電子書籍貸し出し管理部と、ユーザーからの購読要求時に、このユーザーのＩＤおよびパスワードに基づきユーザーの特定を行うユーザー確認処理機能と、前記電子書籍の提供時における貸出料を算出する貸出料金設定部と、前記電子書籍の提供に伴う著作権料を算出する著作権料算出部とを備え、前記電子書籍の情報を参照して、印刷物としての書籍の破棄状況と、著作者からの貸し出し許可が設定されているか否かにより貸し出し判定処理を行ない、前記電子書籍の提供後に、前記電子書籍格納部の前記提供された電子書籍に対して貸出不可処理を行ない、かつ、返却時において貸出可能処理を行ない、前記貸出料や著作権料の算出後に、当該料金の支払い処理を行なうことを特徴とする。
【０００９】
このような構成とすることにより、著作物の著作者若しくはその所有者（以下、所有者とは、著作権の承継者や出版社等を含むものである）は、前記著作物を前記書籍の貸出システムを運営する施設に持ち込みその管理を委託する。
【００１０】
施設においては、持ち込まれた書籍を電子化処理して電子書籍を生成するとともに、この電子書籍を著作者若しくはその所有者毎に記録してデーターベースを作成する。
【００１１】
また、前記施設においては、書籍の購読会員（ユーザー）を募り、そのユーザーＩＤやパスワードを発行して会員登録し、そのユーザー情報をデーターベース化しておく。
【００１２】
前記システムとユーザーとは、インターネット等の通信手段によって接続されており、ユーザーからの購読要求がシステムに入力されると、ユーザー認証が行なわれた後に、購読要求された電子書籍がユーザーに提供される。
【００１３】
ここで、提供された電子書籍に対して貸し出し中の処理が行なわれ、当該電子書籍の重複した貸出が禁止され、返却がなされた時点で前述した貸し出し中の処理が解除されて、再貸し出し可能な状態となされる。
【００１４】
一方、購買要求に対する電子書籍の提供は、購読料金（貸出料）が支払われた後に行なうように設定することが望ましい。
【００１５】
そして、前述したような電子書籍の提供が完了すると、貸出料等に基づいて著作権料を算出するとともに、当該料金が、当該電子書籍の所有者、著作者、システム運営施設等の関係者に振り分けて支払われる。
この著作権料の支払いは、発生都度、月単位、年単位等、当該著作物の関係者と施設との契約に基づき実行される。
【００１６】
したがって、ユーザーは、施設に出かけることなく目的の書籍を購読することができ、かつ、著作者若しくは所有者は、自らの著作物が、どの施設に収納されてどのように購読されているかを正確に把握することができるとともに、その貸出料や著作権料の正当性を確認することができる。
【００１７】
そして、前記電子書籍管理手段は、ユーザーからの購読要求時に、このユーザーのＩＤおよびパスワードに基づきユーザーの特定を行なうユーザー確認処理機能を備えていることにより、不法な購読行為を確実に防止して、著作者に安心感を与えることができる。
【００１８】
また、前記電子書籍管理手段は、前記電子書籍の記録後に、前記印刷物としての書籍を破棄するようになされていることにより、提供される電子書籍が原本として扱われ、一つの書籍に付随する種々の権利が不当に使用されることが防止される。
【００１９】
本発明の好ましい形態として、前記電子書籍管理手段は、ユーザーからの購読要求時に、この購読要求された電子書籍の貸出期間を設定し、かつ、この貸出期間を経過した後に貸し出し延長要求がなされた際に、その延長期間を設定する貸し出し条件処理機能を備えていることにより、各ユーザーへ公平な貸し出し条件を設定することができるとともに、著作者若しくは所有者への適正な料金の支払いを可能にして、著作者や所有者へ安心感を与えることができる。
【００２０】
本発明の好ましい形態として、前記電子書籍の情報を、前記書籍に付与されているＩＳＢＮコードを用いて管理することにより、著作者や書籍の管理を正確に行ない、かつ、貸し出しが許可されているか否かの確認を確実に行なうことができる。
【００２１】
したがって、著作者若しくは所有者の意思に反した貸し出し処理を防止することができる。
【発明の効果】
【００２２】
本発明によれば、ユーザーは、施設に出かけることなく目的の書籍を購読することができ、かつ、その書籍の著作者若しくは所有者は、その著作物が、どの施設に収納されてどのように購読されているかを正確に把握することができるとともに、その貸出料や著作権料の正当性を確認することができる。
【図面の簡単な説明】
【００２３】
【図１】本発明の一実施形態を示すシステム構成図である。
【図２】本発明の一実施形態を示すので、システムの機能ブロック図である。
【図３】本発明の一実施形態の動作を説明するためのフローチャートである。
【図４】本発明の一実施形態の動作を説明するためのフローチャートである。
【図５】本発明の一実施形態の動作を説明するためのフローチャートである。
【発明を実施するための形態】
【００２４】
以下、本発明の一実施形態について、図面を参照して説明する。
図１は、本発明の一実施形態に係わるシステム構成図であり、符号Ｙは著作者若しくは所有者を示し、符号Ｂは、印刷物としての書籍を示す。
【００２５】
そして、本システムは、前記書籍Ｂが持ち込まれてこの書籍Ｂを電子化する書籍電子化手段１と、この書籍電子化手段１において電子化された電子書籍を、前記書籍の著作者若しくは所有者Ｙ毎に記録し、ユーザーＵからの購読要求に基づき、要求された電子書籍を前記ユーザーＵに提供する電子書籍管理手段２とを備えている。
【００２６】
前記電子書籍管理手段２には、図２に示すように、前記電子書籍を著作者Ｙ毎に記録する電子書籍格納部３と、前記電子書籍の提供状況を管理する電子書籍貸し出し管理部４と、前記電子書籍の提供時における貸出料を算出する貸出料金設定部５と、前記電子書籍の提供に伴う著作権料を算出する著作権料算出部６とを備え、前記電子書籍の提供後に、前記電子書籍格納部３の前記提供された電子書籍に対し貸し出し不可処理を行ない、かつ、返却時において貸出可能処理を行ない、前記貸出料や著作権料の算出後に、当該料金の著作者若しくは所有者Ｙへの支払い処理を行なうようになっている。
【００２７】
さらに、前記書籍電子化手段１は、裁断された書籍Ｂをページ毎に撮像するスキャナー７と、このスキャナー７の画像データーに基づき前記書籍Ｂを電子データー化するコンピューター８とを備え、このコンピューター８によって電子化された書籍の、その著作者若しくは所有者Ｙを含む書籍情報を前記電子書籍管理手段２へ送出するようになっている。
【００２８】
前記電子書籍管理手段２は、前述したようにして生成された電子書籍情報を格納し、本実施形態のシステムを稼働させるためのアプリケーションが組み込まれたコンピューター９を備えている。
そして、前記アプリケーションには、前記電子書籍格納部３、前記電子書籍貸し出し管理部４、前記貸出料金設定部５、および、著作権料算出部６が設けられている。
【００２９】
図２に示すように、電子書籍Ｚを著作者Ｙ毎に格納する入庫処理を行なう仮想の本棚１０（図１参照）を有している。
【００３０】
また、前記電子書籍格納部３は、前記電子書籍Ｚの格納と同時に、当該電子化された書籍（電子書籍Ｚ）の原本を破棄する要求を前記書籍電子化手段１へ送出し、さらに、当該書籍に貸し出し許可が設定されているかを判定して、貸し出し許可が設定されている場合にのみ、当該電子書籍Ｚを貸し出し待機状態とするようになっている。
【００３１】
また、前記電子書籍貸し出し管理部４は、図２に示すように、購読を希望するユーザーＵのアクセスがあった場合、そのユーザー確認処理を行なうようになっており、そのユーザー確認処理として、ユーザーＩＤとユーザーパスワードの確認処理が行なわれる。
【００３２】
また、前記電子書籍貸し出し管理部４は、貸し出し条件処理、出庫処理、返却要求処理、返却処理の各処理を行なうようになっている。
【００３３】
前記貸し出し条件処理においては、貸出期間の設定、期間延長要望があった場合の貸出期間延長処理を行なうようになっている。
【００３４】
前記出庫処理においては、要求された電子書籍ＺをユーザーＵへ送信する処理と、送信後に、当該電子書籍Ｚを貸し出し中とする処理を行なうようになっている。
【００３５】
前記返却要求処理においては、貸出期間の経過確認と、貸出期間が経過している場合における返却要求の処理を行なうようになっている。
【００３６】
前記返却処理においては、電子書籍Ｚが返却されたか否かの判断処理、および、返却された際に、前記電子書籍Ｚの貸し出し中の処理を解除する処理が行なわれるようになっている。
【００３７】
さらに、前記貸出料金設定部５においては、電子書籍Ｚの種類や貸出期間、および、延長期間等に基づいて貸出料の算出を行なうようになっているとともに、延長要求が無い場合における延滞料の算出を行なうようになっている。
【００３８】
一方、前記著作権料算出部６においては、前述した貸出料や延滞料に基づいて著作権料を算出するとともに、この著作権料を著作者若しくは所有者Ｙへ支払う処理を行なうようになっている。
【００３９】
ついで、本実施形態におけるシステムの作用を、図３ないし図５に示すフローチャートを参照して説明する。
【００４０】
図３は、前記電子書籍格納部３における処理を示しており、処理が開始されると、電子書籍Ｚの入庫要求がなされたか否かの判断がなされ（ステップＳ１）、入庫要求があることを条件としてつぎのステップＳ２へ移行する。
【００４１】
ステップＳ２においては、著作者情報若しくは所有者情報の有無が判断され、著作者情報若しくは所有者情報があることを条件としてつぎのステップＳ３へ移行する。
【００４２】
ステップＳ３においては、書籍情報の有無が判断され、書籍情報があることを条件としてつぎのステップＳ４へ移行して、電子書籍Ｚを、著作者若しくは所有者Ｙ毎に格納する。
【００４３】
ステップＳ４において電子書籍Ｚが格納されると、前記電子書籍管理手段２から前記書籍電子化手段１へ、当該格納された電子書籍Ｚの原本を破棄する要求が送出されて（ステップＳ５）、つぎのステップＳ６へ移行する。
【００４４】
ステップＳ６においては、前記電子書籍Ｚの原本破棄が行なわれたか否かの判断がなされ、破棄されたことを条件として次のステップＳ７へ移行し、当該書籍の貸し出しが許可されているか否かの判断がなされる。
【００４５】
ステップＳ７において、当該書籍の貸し出しが許可されていると判断された場合には、つぎのステップＳ８へ移行し、前記格納された電子書籍Ｚに貸し出し待機処理を行なって貸し出し可能な状態として処理を終了し、貸し出し許可がないと判断された場合には、著作者若しくは所有者が貸し出しを認めていないものとして、当該電子書籍Ｚの貸し出し待機処理を行なわず、貸し出しを行なえない状態として処理を終了する。
【００４６】
図４は、前記電子書籍貸し出し管理部４における処理を示しており、ユーザーＵからの購読要求に基づき処理が開始され、まず、ユーザーＩＤの確認（ステップＳ１０１）、および、ユーザーパスワードの確認（ステップＳ１０２）が行なわれ、これらが確認されたことを条件としてつぎのステップＳ１０３へ移行する。
【００４７】
ステップＳ１０３においては、購読要求された書籍の情報があるか否かが判断され、あることを条件としてつぎのステップＳ１０４へ移行し、このステップＳ１０４において電子書籍の選定が行なわれた後に、つぎのステップＳ１０５へ移行する。
【００４８】
ステップＳ１０５においては、購読要求された電子書籍Ｚが貸し出し中であるか否かの判断がなされ、貸し出し中でないことを条件としてつぎのステップＳ１０６へ移行する。
そして、貸し出し中であると判断された場合には、ステップＳ１０７へ移行し、ユーザーＵへ貸し出し中であることを告知し処理を終了する。
【００４９】
前記ステップＳ１０６においては、当該電子書籍Ｚの貸出期間が設定されたのち、つぎのステップＳ１０８に移行して前記電子書籍ＺがユーザーＵへ送信（貸し出し）される。
【００５０】
ステップＳ１０８において電子書籍Ｚの貸し出しが完了すると、つぎのステップＳ１０９において、当該電子書籍Ｚに対して貸し出し中の設定がなされた後に、つぎのステップＳ１１０へ移行する。
【００５１】
ステップＳ１１０においては、貸出期間が経過したか否かの判断がなされ、貸出期間が経過している場合につぎのステップＳ１１１へ移行し、ユーザーＵから貸出期間延長の要求があるか否かの判断がなされ、貸出期間延長の要求がある場合には、前記ステップＳ１１０以降の処理へ戻り、無い場合には、つぎのステップＳ１１２においてユーザーＵへ返却要求が行なわれた後に、つぎのステップＳ１１３へ移行する。
【００５２】
ステップＳ１１３では、返却の有無が判断され、返却が無い場合には前記ステップＳ１１２以降の処理を繰り返し、返却があった場合につぎのステップＳ１１４へ移行する。
【００５３】
ステップＳ１１４においては、別処理で行なわれている貸出料金の入金処理や著作権料の支払い処理の結果に基づき、これらの処理が完了したか否かの判断がなされ、完了していることを条件としてつぎのステップＳ１１５へ移行して、当該電子書籍Ｚの貸し出し中の設定を解除して貸し出し可能な状態とし、処理を完了する。
【００５４】
一方、貸出料金の入金処理や著作権料の支払い処理が完了していない場合には、ステップＳ１１４の処理を繰り返す。
【００５５】
図５は、貸出料や著作権料に係わる処理を示す。
この処理は、まず、ステップＳ２０１において電子書籍の貸し出しが完了したか否かの判断がなされ、完了したことを条件としてステップＳ２０２へ移行して貸出料金の算出がなされ、ついで、ステップＳ２０３へ移行して貸出料支払い要求処理が行なわれてステップＳ２０４へ移行する。
【００５６】
ステップＳ２０４においては、貸出料の支払いが完了したか否かの判断がなされ、支払いが完了していることを条件としてつぎのステップＳ２０５へ移行し、延滞料の有無が判断される。
【００５７】
ステップＳ２０５において延滞料が発生していないと判断された場合には、後述のステップＳ２０９へ移行し、発生している場合には、つぎのステップＳ２０６へ移行して延滞料が算出され、次いで、ステップＳ２０７へ移行して延滞料の支払い要求が行なわれて、つぎのステップＳ２０８へ移行する。
【００５８】
ステップＳ２０８においては、延滞料の支払いの有無が判断され、支払いがあったことを条件としてつぎのステップＳ２０９へ移行する。
【００５９】
ステップＳ２０９においては著作権料の算出が行なわれ、つぎのステップＳ２１０へ移行して、貸出料や延滞料、および、著作権料等の料金を、著作者や所有者、あるいは、システム運営施設等の関係者に振り分けて支払われ、この支払いが完了したことを条件として（ステップＳ２１１）処理を完了する。
【００６０】
ここで、前記ステップＳ２０１の処理と、前記ステップＳ２０２からステップＳ２０８までの処理とは、その順番を入れ替えてもよい。
また、貸出料の発生タイミングとしては、このように先払いとすることが望ましいが、後払いとして延滞料と共に処理することもできる。
【００６１】
このように本実施形態においては、ユーザーＵにあっては、通信手段を経由して遠隔地からでも書籍を購読することができ、また、著作者若しくは所有者Ｙにあっては、自らの著作物の購読状況を正確に把握することができ、また、その実際の購読状況に応じた適正な貸出料や著作権料の発生状況や金額を把握することができる。
したがって、ユーザーおよび著作者若しくは所有者両者の何れにおいても有益な書籍貸し出しシステムを提供することができる。
【符号の説明】
【００６２】
１  書籍電子化手段
２  電子書籍管理手段
３  電子書籍格納部
４  電子書籍貸し出し管理部
５  貸出料金設定部
６  著作権料算出部
７  スキャナー
８  コンピューター
９  コンピューター
１０  仮想本棚
Ｂ  書籍
Ｙ  著作者若しくは書籍所有者
Ｕ  ユーザー
Ｚ  電子書籍
【要約】      （修正有）【課題】インターネット等の通信手段を用いた購読を可能にしつつ、著作者が、自らの著作物が利用されている状況やそれに伴う著作権料の発生状況をリアルタイムに把握することのできる書籍の貸出システムを提供する。【解決手段】書籍を電子化する書籍電子化手段と、電子化された電子書籍を、前記書籍Ｚの著作者若しくは所有者Ｙ毎に記録し、ユーザーＵからの購読要求に基づき電子書籍を提供する電子書籍管理手段２とからなり、電子書籍管理手段には、電子書籍を著作者毎に記録する電子書籍格納部３と、電子書籍の提供状況を管理する電子書籍貸し出し管理部４と、提供時における貸出料を算出する貸出料金設定部５と、提供に伴う著作権料を算出する著作権料算出部６とを備え、電子書籍の提供後に、電子書籍に対し貸し出し不可処理を行ない、かつ、返却時において貸出可能処理を行ない、貸出料や著作権料の算出後に、当該料金の支払い処理を行なう。【選択図】図２【図１】
0005398093.tif 000002
【図２】
0005398093.tif 000003
【図３】
0005398093.tif 000004
【図４】
0005398093.tif 000005
【図５】
0005398093.tif 000006